(57)【要約】【課題】鍋やフライパンなどの円弧面を持つ器物等に付着した汚れを、その円弧面に沿って行う摺動操作により効果的に掻き落すことができ、さらに汚れに対応した使用を可能にする。【解決手段】掌に収まる径及び厚みを有し、全体として円板状に成形されたナイロン不織布２により各種のたわし１を構成し、その複数を密閉ケースに収納して提供する。【選択図】図１
0003114925.tif 000002
【実用新案登録請求の範囲】
【請求項１】
円板状のナイロン不織布から構成されてなることを特徴とするたわし。
【請求項２】
円板状のナイロン不織布が掌に収まる径及び厚みを有することを特徴とする請求項１に記載のたわし。
【請求項３】
円板状のナイロン不織布には、粒状の研磨材が付着されてなることを特徴とする請求項１又は２項に記載のたわし。
【請求項４】
円板状のナイロン不織布が、打ち抜きにより形成されてなることを特徴とする請求項１、２又は３項に記載のたわし。
【請求項５】
円板状のナイロン不織布が、用途別に着色されてなることを特徴とする請求項１、２、３又は４項に記載のたわし。
【請求項６】
請求項1乃至５に記載のたわしの複数が、蓋付き密閉ケース内に重ねて収納されてなることを特徴とするたわしセット。
【請求項７】
密閉ケースが透明であることを特徴とする請求項６に記載のたわしセット。
【考案の詳細な説明】
【技術分野】
【０００１】
本考案は、厨房等の設備や鍋等の器物の油汚れ、焦げ、鏡の油膜、湯垢、水垢、カビなどを除去するのに利用するたわし及びたわしセットに関する。
【背景技術】
【０００２】
従来のたわしは、シュロの毛などを束ねたものからなり、これにより厨房等の設備や鍋、フライパン等の器物をこすって、汚れ、焦げなどを掻き落すのに利用されている。一方、このたわしは耐久性に劣るため、今日ではナイロン不織布などからなるナイロンたわしやメラミンたわしなどと言われるたわしが提供され、使用されるようになった。
【考案の開示】
【考案が解決しようとする課題】
【０００３】
しかしながら、従来のナイロンたわしは直方形状をなし、その平面部や角部を使用して、厨房等の広くて平らな面や細部に付着した汚れ等を除去する場合には有用であるものの、例えば、鍋やフライパンといった調理用具の円弧面や湾曲面にこびりついた油汚れや焦げ等の除去には必ずしも適切ではない。
【０００４】
例えば、鍋の円弧面の汚れを落とす場合において、たわしの平面部を使用する場合には、この平面部を手で鍋の円弧面に強く押し当てる必要がある。また、たわしの角部を使用する場合には、鍋の円弧面との接触面積が少ないため、汚れ落としの作業効率が悪いという不都合がある。
【０００５】
また、従来の直方形状のナイロンたわしは、掌サイズを超えるため、その取扱いや収納に不便である。さらに、複数個が袋に入れられて販売されてるものでは、収納袋を破って一つを取り出した後の残りのたわしが、外気に晒され、埃が付着したり、カビが発生するなどして品質の劣化を招くという問題があった。
【０００６】
本考案は、前記のような従来の問題に着目してなされたものであり、鍋やフライパンなどの円弧面を持つ器物等に付着した汚れを、その円弧面に沿って行う摺動操作により効果的に掻き落すことができるたわし、さらに各種の汚れに対応でき、所定の品質を維持可能に密閉保存できるたわしセットを提供することを目的とする。
【課題を解決するための手段】
【０００７】
前記目的を達成するために、本考案にかかるたわしは、円板状のナイロン不織布からなることを特徴とする。この構成により、たわしの外周面の一部を、鍋やフライパンなどの円弧面になじむように押し当てながら摺動操作することによって、その円弧面に付着している油汚れや焦げ付きなどを効果的に掻き落すことができる。
【０００８】
本考案に係るたわしは、円板状のナイロン不織布が掌に収まる径及び厚さを有することを特徴とする。この構成により、掌にたわし本体を保持した状態で、効率的に油汚れや焦げ付きなどを除去することができる。
【０００９】
また、本考案にかかるたわしは、前記円板状のナイロン不織布に、粒状の研磨材が付着されてなることを特徴とする。この構成により、付着された研磨材が、鍋にこびり付いた油汚れや焦げ付きを強力に、より効果的に掻き落すことができる。また、研磨材の粒度を選ぶことで、器物等に対する傷付きを最小限に抑えることができる。
【００１０】
また、本考案にかかるたわしは、前記円板状のナイロン不織布が、打ち抜きにより形成されてなることを特徴とする。この構成により、製造がよういであり、円板状に打ち抜いて形成されたたわしは、打ち抜き部分であるエッジが鋭い角部に形成され、このエッジ部を使って、器物における局部の汚れ落としを効果的に行えるほか、収納用のケースに対する出し入れをスムースかつ容易に行うことができる。
【００１１】
また、本考案にかかるたわしは、前記円板状のナイロン不織布が、用途別に着色されてなることを特徴とする。この構成により、用途別にたわしの識別、利用が可能になり、器物の汚れ具合等に応じた適切な一つを用いて、汚れ落としを確実にすることができる。
【００１２】
また、本考案にかかるたわしセットは、前記請求項1乃至５記載のたわしの複数が、蓋付きの密閉ケース内に重ねて収納されてなることを特徴とする。この構成により、各種の汚れに対応したたわしの使用が可能であり、さらに、ケース内に収納したたわしが、外気に晒され、埃が付着したり、カビが発生するなどして品質が劣化するのを防止することができる。
【００１３】
また、本考案にかかるたわしセットは、前記密閉ケースが透明であることを特徴とする。この構成により、前記密閉ケース内のたわしを外から透視することができ、使用しょうとする用途別のたわしの選別が容易になる。
【考案の効果】
【００１４】
本考案のたわしによれば、円板状のナイロン不織布から構成したことにより、また、掌に収まる径及び厚みに構成することにより、このたわしの外周面の一部を、鍋やフライパンなどの円弧面に押し当てながら摺動操作することによって、その円弧面に付着している油汚れや焦げ付きなどを、無駄な力を加えることなく、効率的に除去することができる。また、本考案のたわしセットによれば、各種の汚れに対応したたわしの使用が可能である。
【考案を実施するための最良の形態】
【００１５】
以下に、本考案の実施形態を、図面を参照して詳細に説明する。
【００１６】
図１は、本考案の実施形態によるたわし１を示す斜視図である。このたわし１は、ナイロン不織布２を、バインダ３を用いて保形、整形したものからなり、図２に示すように、前記バインダ３がナイロン不織布２の繊維２ａどうしを硬く結合している。前記バインダ３としては、例えばフェノール樹脂などの熱硬化性樹脂が用いられ、これがナイロン不織布２の繊維２ａ全体に付着され、各繊維２ａが交差、接触する部位でこれらを結合している。
【００１７】
たわし１はナイロン繊維２ａをバインダ３で繋いだナイロン不織布２のブロックを、所定サイズの円板に打ち抜いて形成される。円板状にすることによって、これの円周面を鍋や、フライパンといった調理具の円弧面に沿うように接触し、これを往復摺動、つまり擦ることにより、その円弧面等に付着している油汚れ、焦げなどを効率的に、掻き取る(擦り取る)ことができる。
【００１８】
したがって、従来の直方形状のたわしにおける、その角部での汚れ落とし効率の低さや、平坦部での操作力の増加といった作業上の欠点や負担を、たわし１によれば改善することができる。
【００１９】
たわし１は前記のように円板状をなし、掌に収まるサイズに形成される。このため、たわし１の前記鍋やフライパンなどの円弧面への押し付け操作や、汚れのこそげ落としのための操作、取扱いが容易になる。
【００２０】
たわし１は、汚れの掻き落とし力を高めるために、バインダ３に砥粒(粒状の研磨材)４を混合してある。これにより、図２に示すように、砥粒４の一部はナイロン不織布２の繊維２ａ全体に付着するが、その繊維２ａが接触、交差する部位で塊となったバインダ３の表面には、複数の砥粒４が露出している。
【００２１】
ここで、砥粒４の硬度は、例えば５０〜１００であり、粒度は用途にもよるが、例えば１０〜１００（メジアン粒子)とされる。また、砥粒４としてはアルミナやシリカなどの耐摩耗性砥粒子、あるいはこれらの混合物が用いられる。
【００２２】
前記構成になるたわし１は、掌に収まるサイズとすることで、手になじみ易い。このため、これを手で掴み、この外周面を鍋やフライパンなどの器物の円弧面に押し付けて、こすることにより、その器物に付着している油汚れ等を速やかに掻き落すことができる。この場合には、その円弧面に対し、たわし１の円周面が大きな接触面で摺接するため、前記汚れの掻き落とし作業が効率化する。
【００２３】
また、たわし１の素材となるナイロン不織布２の繊維２ａにバインダ３を用いて砥粒を付着せしめることで、この砥粒４による汚れの掻き落とし効率がさらに高められる。さらに、たわし１を用途に応じて色分けすれば、たわし１の購入時や使用時に用途に合った最適なものを容易に選択でき、汚れの状態に応じた掻き落とし作業を効果的に実施できる。
【００２４】
また、ナイロン不織布２の厚みや、ナイロン繊維２ａの太さ、さらには砥粒４の粒径が異なるものを複数種類用意しておくことにより、用途ごとにこれらの中から選択して任意に利用できる。
【００２５】
なお、前記においては、ナイロン不織布２のたわし１のみについて説明したが、このナイロン不織布２に研磨材を付着させたウレタンスポンジを張り合わせたものとしてもよい。これによれば、トイレ便器や洗面具の水垢取り用研磨たわしとして、つまり用途別たわしとして、有用である。
【００２６】
前記たわし１は、素材であるナイロン不織布２を打ち抜き装置で円板状に打ち抜いて形成したため、打ち抜きいてできた外周面の縁部が直角に尖る。この尖った部位を汚れの強い部位に当て、力を集中させてこすることにより、その部位にこびり付いた汚れを迅速、容易に除去することができる。
【００２７】
図３は、前記たわし１を販売形態において、予め収納する密閉ケースの斜視図である。この密閉ケース１１は、同一外径の各種のたわし１、例えば、前記請求項１乃至５のたわしを、複数枚重ねて収納できるように円筒状に形成されている。
【００２８】
前記密閉ケース１１の内径は、たわし１の径に対し僅か大きく、たわし１の取り出しを容易にしている。また、密閉ケース１１の高さはたわし１の収納枚数に応じて任意の高さとされている。
【００２９】
このような密閉ケース１１では、各種の汚れに対応する複数枚のたわし１を同時に収納できるとともに、必要時に上から１枚ずつ取り出して使用することができる。
【００３０】
密閉ケース１１は、容器１１ａと該容器１１ａの開口部を開閉する蓋１１ｂとからなり、蓋１１ｂを閉じたとき内部が略気密状態になる。したがって、内部に収納されているたわし１の変質などを回避でき、常に清潔に保管できる。
【００３１】
前記密閉ケース１１は、透明で容易に壊れないハードケースとすることが好ましく、その結果、内部のたわし１が潰れたり損傷したりすることなく保護される。    また、使用者は、前記密閉ケース１１の外側から該密閉ケース１１内のたわし１の種類及び残量を看取することができる。特に、たわし１を用途別に色分けをした場合などには、特定用途のたわし１の選択的利用が容易になる。
【００３２】
また、密閉ケース１１の外周面に、各たわし１対応で、用途を識別できる紙帯を貼着等しておくことにより、たわし１の選択的取り出しを、色分けによらずに行うことができる。
【００３３】
図４は、前記密閉ケース１１内にたわし１を複数枚重ねて収納した状態の斜視図であり、たわし１には、例えば、鍋の底にこびり付いた焦げなどの掻き落としに有効な厚手のたわし１ａと、焼き網にこびり付いた掻き落としに有効な薄手のたわし１ｂなどがあり、厚みが異なるこれらの複数のたわし１ａ、１ｂが、前記密閉ケース１１内に収納可能である。使用者は前記密閉ケース１１の外から特定した一つを該密閉ケース１１の中から取り出して、使用することができる。
【００３４】
以上のように、本考案は、たわし１を、円板状に形成し、掌に収まる径および厚みを有し、全体として円板状に成形されたナイロン不織布２から構成したことにより、鍋やフライパンなどの円弧面を持つ器物等に付着した汚れを、その他を円弧面等に沿って行う摺動操作により、効果的に掻き落すことができる。
【００３５】
また、本考案のたわしセットによれば、各種の汚れに対応することが容易である。
【産業上の利用可能性】
【００３６】
本考案にかかるたわしは、円板状に構成され、掌に保持した状態で、このたわしの外周面の一部を、鍋やフライパンなどの円弧面になじむように押し当てながら摺動操作することによって、その円弧面に付着している油汚れや焦げ付きなどを無駄な力を加えることなく、効果的に除去することができる。また、本考案のたわしセットによれば、各種の汚れを効果的に除去することができる。
【図面の簡単な説明】
【００３７】
【図１】本考案の実施の形態によるたわしを示す斜視図である。
【図２】図１に示すたわしの要部を示す拡大図である。
【図３】図１に示すたわしの収納用ケースの斜視図である。
【図４】図３に示すケースに収納する複数枚のたわしの斜視図である。
【符号の説明】
【００３８】
１  たわし
２  ナイロン不織布
２ａ  繊維（ナイロン繊維）
３  バインダ
４  砥粒（粒状の研磨材）
１１  ケース
１１ａ  容器
１１ｂ  蓋
【図１】
0003114925.tif 000003
【図２】
0003114925.tif 000004
【図３】
0003114925.tif 000005
【図４】
0003114925.tif 000006